(57)【要約】      （修正有）【課題】シリコン条の外部に光均一効果を形成し、方向警告及び夜間警告効果を備えるサイドミラーの導光構造を提供する。【解決手段】サイドミラー本体１、導光条２及び透光カバー３を設置し、外壁面上には凹槽１０を設置し、導光条はサイドミラー本体の凹槽内に固定設置し、透光カバーはサイドミラー本体の凹槽上に被せる。導光条はシリコン条２０及び二つのＬＥＤライト条２１によって構成され、シリコン条は均光性を備えたシリコン材質で、シリコン条の底面は平面で、シリコン条の最上面は円弧面に成形する。シリコン条内には納置槽２０３を形成し他に少なくとも一通孔２０５を穿設し、また二つのＬＥＤライト条の上部には数個のＬＥＤライト２１０を配列する。二つのＬＥＤライト条上の各ＬＥＤライトの発光がシリコン条を経て導光し、透光カバーから射出される。【選択図】図１
0003189170.tif 000002
【実用新案登録請求の範囲】
【請求項１】
サイドミラー本体、導光条及び透光カバーから構成されたサイドミラーの導光構造において、そのうち、
外壁面上に、凹槽を設置し、該凹槽内には数個の嵌合槽を設置し、該凹槽内には別に穿孔を設置するサイドミラー本体と、
該サイドミラー本体の外壁面上に設置し、それはシリコン条及び二つのＬＥＤライト条から構成され、該シリコン条は均光性を備えたシリコン材質から製造され、該シリコン条の底面は平面に成形し、該シリコン条の最上面は円弧面に成形し、該シリコン条内には納置槽を設置し、該シリコン条内は別に少なくとも一通孔を設置し、また該二つのＬＥＤライト条は相対設置して該シリコン条の納置槽内に挿入設置して定位し、該二つのＬＥＤライト条上は数個のＬＥＤライトを配列し、該二つのＬＥＤライト条上には電源コードを設置し、該電源コードは該サイドミラー本体の穿孔内に挿入設置する導光条と、
該サイドミラー本体の凹槽上に設置し、それは透光体であり、周辺には該サイドミラー本体の嵌合槽内に嵌合して定位する嵌合体を数個設置する透光カバーを含むことを特徴とするサイドミラーの導光構造。
【考案の詳細な説明】
【技術分野】
【０００１】
本考案は、サイドミラーの外壁に設置した導光構造に関するもので、サイドミラーに導光の方向を均一にする警告機能を備えたものに係わる。
【背景技術】
【０００２】
一般のサイドミラーは、ドライバーが両側後方の車及び通行者の動向を見て車両走行の安全を高めるのに用いる。他に、サイドミラーの外壁面にウインカーを追加設置する構造があり、それはサイドミラー本体の外壁面上にＬＥＤライト条を設置する。該ＬＥＤライト条の上には数個のＬＥＤライトを設置し、ＬＥＤライト条の上部の各ＬＥＤライトが車両のウインカーをつけると同時に発光することによって、走行時の車両両側のサイドミラー上に方向警告を補助する作用を備え、両側から車両もしくは通行者への注意を促す。
【先行技術文献】
【特許文献】
【０００３】
【特許文献１】特開２０１０−２６０５４５号公報
【考案の概要】
【考案が解決しようとする課題】
【０００４】
解決しようとする問題点は、公知のサイドミラー上のＬＥＤライトの光源は直接、外向きに投射して強力な光線を発するため、外のドライバーもしくは通行者が眩しく感じやすく、それは安全走行にも影響する。更にＬＥＤライト条及び各ＬＥＤライトはサイドミラー上に露出しており、またＬＥＤライト条上のＬＥＤライトは三個で一組であるため、もし、そのうち一個のＬＥＤライトが壊れて光らなくなると、該組の三個のＬＥＤライトは同時に光らなくなり、そのＬＥＤライト条の光源は均一に発光できず、方向警告の発光効果に影響する点である。
【課題を解決するための手段】
【０００５】
本考案は、サイドミラー本体、導光条及び透光カバーを設置して構成される。そのうち該サイドミラー本体の外壁面上には凹槽を設置し、該導光条は該サイドミラー本体の凹槽内に固定設置し、該透光カバーは該サイドミラー本体の凹槽上に被せる。該導光条はシリコン条及び二つのＬＥＤライト条によって構成され、該シリコン条は均光性を備えたシリコン材質から製造される。該シリコン条の底面は平面に成形し、シリコン条の最上面は円弧面に成形する。
該シリコン条内には納置槽を形成し、該シリコン条内には他に少なくとも一通孔を穿設する。また該二つのＬＥＤライト条の上部には数個のＬＥＤライトを配列し、該二つのＬＥＤライト条に電源コードを設置する。該二つのＬＥＤライト条は、該シリコン条の納置槽内に差し込んで定位する。このようにして、該導光条をサイドミラー上に固定し、二つのＬＥＤライト条上の各ＬＥＤライトの発光がシリコン条を経て導光し、透光カバーから射出されることを最も主要な特徴とする。
【考案の効果】
【０００６】
本考案のサイドミラーの導光構造は、シリコン条の外部にきわめて良好な光均一効果を形成して最良の方向警告及び夜間警告効果を備えるという利点がある。
【図面の簡単な説明】
【０００７】
【図１】本考案の実施例の立体分解図である。
【図２】本考案の実施例の導光条の断面指示図である。
【図３】本考案の実施例の使用指示図である。
【考案を実施するための形態】
【０００８】
サイドミラーの造型に合わせて任意に湾曲し、最良の均一警告効果を達成し、最良の方向警告及び夜間警告効果を達成するサイドミラーの導光構造を提供することを本考案の主な目的とする。
【０００９】
本考案のサイドミラーの導光構造は、サイドミラー本体、導光条及び透光カバーによって構成される。そのうち、該サイドミラー本体の外壁面上には凹槽を設置し、該凹槽内には数個の嵌合槽を設置する。該凹槽内には別に穿孔を穿設する。該導光条は、該サイドミラー本体の外壁面上に設置し、該導光条はシリコン条及び二つのＬＥＤライト条によって構成される。該シリコン条は均光性を備えたシリコン材質から製造される。該シリコン条の底面は平面に成形し、該シリコン条の最上面は円弧面に成形する。該シリコン条内には納置槽を設置し、該シリコン条内には別に少なくとも一通孔を設置する。
【００１０】
また、前記二つのＬＥＤライト条は相対して設置し、該シリコン条の納置槽内に挿入して定位する。該二つのＬＥＤライト条上には数個のＬＥＤライトを配列し、該二つのＬＥＤライト条上には電源コードを設置する。該電源コードは該サイドミラー本体の穿孔内に挿入設置する。該透光カバーは該サイドミラー本体の凹槽上に設置し、該透光カバーは透光体であり、該透光カバーの周辺には該サイドミラー本体の嵌合槽内に嵌合する定位嵌合体を数個設置する。
【００１１】
本考案のサイドミラーの導光構造は、そのうち該シリコン条の平面上に接着剤を塗布し、該導光条をサイドミラー本体の外壁面上に接着固定する。 
本考案のサイドミラーの導光構造は、そのうち該シリコン条の最上面に少なくとも一凹槽を設置し、該凹槽はＬＥＤライトから投射した光線を均一化する効果を達成する。
【００１２】
本考案のサイドミラーの導光構造は、そのうち該シリコン条の二側壁面上に数個の凸条を設置し、該凸条はサイドミラー本体の凹槽内に嵌合して定位する。
【００１３】
本考案のサイドミラーの導光構造は、そのうち該シリコン条の納置槽内は、該円弧面に対応する該側面に数本の条槽を設置し、該条槽はＬＥＤライトが投射した光線を屈折させ、投射光線を均一にする効果を達成する。
【００１４】
本考案のサイドミラーの導光構造の長所として、該導光条はサイドミラー本体の造型に合わせて任意に折曲設置し、サイドミラー本体の外壁面に方向警告及び夜間警告の効果を備え、且つ極めて良好な光均一効果を備え、走行の安全性を向上させる。
【実施例】
【００１５】
本考案の上述の使用目的と効果を達成するため、採用した技術手段を、良好な実施例を挙げて図式と共に説明する。
【００１６】
本考案の実施例は、図１、図２に示すとおり、主にサイドミラー本体１、導光条２及び透光カバー３から構成される。そのうち該サイドミラー本体１の外壁面上には凹槽１０を設置し、該凹槽１０の相対壁面上には数個の嵌合槽１１を設置し、該凹槽１０の一端面には穿孔１２を設置する。該導光条２は、該サイドミラー本体１の凹槽１０内に固定設置し、該導光条２はシリコン条２０及び二つのＬＥＤライト条２１から構成し（図２参照）、該シリコン条２０は均光性のシリコン材質から製造され、該シリコン条２０の底面は平面２００に成形し、該シリコン条２０の最上面は円弧面２０１に成形する。
【００１７】
該シリコン条２０の最上面は少なくとも一凹槽２０２を設置し、該シリコン条２０内には納置槽２０３を設置し、該納置槽２０３内は該円弧面２０１に対応する該側面上に数本の弧形の条槽２０４を設置する。該シリコン条２０内には他に少なくとも一通孔２０５を穿設し、該シリコン条２０の二つの側壁面上には数本の鋸歯形状の凸条２０６を設置し、また該二つのＬＥＤライト条２１は、相対して設置し、該シリコン条２０の納置槽２０３内に差し込んで設置して定位する。該二つのＬＥＤライト条２１上には数個のＬＥＤライト２１０を配列して設置し、該二つのＬＥＤライト条２１上のＬＥＤライト２１０は、三個を一組とする。
【００１８】
該二つのＬＥＤライト条２１には電源コード２１１を設置し、該電源コード２１１は該サイドミラー本体１の穿孔１２内に挿入して設置する。該透光カバー３は該サイドミラー本体１の凹槽１０上に被覆して設置し、該透光カバー３の周辺には該透視鏡本体１の嵌合槽１１内に嵌合して定位する嵌合体３０を数個設置する。このようにしてサイドミラーの導光構造が形成される。
【００１９】
組立時、図１〜図３に示すとおり、導光条２をサイドミラー本体１の凹槽１０内に設置する。導光条２のシリコン条２０の二側壁面の凸条２０６がサイドミラー本体１の凹槽１０の壁面できつくとめることによって、即ち導光条２を定位於サイドミラー本体１の凹槽１０内に定位するか、もしくはシリコン条２０の平面２００上に粘着させる。接着剤に拠って凹槽１０内にしっかりと止めることによって、導光条２を更にサイドミラー本体１の凹槽１０内にしっかりと定位し、次にシリコン条２０の納置槽２０３内に設置した二つのＬＥＤライト条２１上の電源コード２１１をサイドミラー本体１の凹槽１０内端面の穿孔１２内に差し込んで設置し、次に透光カバー３をサイドミラー本体１の凹槽１０上に被せて透光カバー３の定位嵌合体３０をサイドミラー本体１の凹槽１０壁面上の嵌合槽１１内に嵌合し、透光カバー３をサイドミラー本体１上に安定して定位する。このようにして全体の組立が完成する。
【００２０】
使用時、図３に示すとおり、本考案は、車両ウインカーをつけると同時にサイドミラー本体１上のＬＥＤライト条２１上の各ＬＥＤライト２１０を通電して発光させ、各ＬＥＤライト２１０が発する光線はシリコン条２０導光によって透けて射出する。ＬＥＤライト条２１は、該シリコン条２０内に設置する。光線が均一にシリコン条２０によって導光し、二つのＬＥＤライト条２１上のＬＥＤライト２１０は三個で一組であるため、仮に、そのうち一個のＬＥＤライト２１０が壊れて光らない場合でも、該組の三個のＬＥＤライト２１０は同時に光らないものの、本考案が二つのＬＥＤライト条２１外部所套設のシリコン条２０均光効果によって、そのうち一組のＬＥＤライト２１０が光らない時、それでもシリコン条２０全体的な均光の効果に影響せず、且つシリコン条２０の最上面は円弧面２０１に形成して凹槽２０２を設置し、ＬＥＤライト２１０の光線をシリコン条２０の表面に投射した時に極めて良好な均光効果を達成する。
【００２１】
また、本考案のうちの一ＬＥＤライト条２１のＬＥＤライト２１０の発光光線はオレンジライトを設置し、ウインカーを連接する回路とウインカーを同時に表示し、サイドミラー本体１上に車両走行方向指示効果を備える。また別にＬＥＤライト条２１のＬＥＤライト２１０の発光光線はブルーライトを設置し、カーライトの夜間表示の警告作用を形成する。また、該シリコン条２０の納置槽２０３内は、該円弧面２０１に対応する該側面上に数本の弧形の条槽２０４を設置し、該条槽２０４の設計によってＬＥＤライト２１０が投射した光線を均一に屈折させることによって、サイドミラー本体１上から投射する光線が更に良好で光が均一の効果を達成する。
【００２２】
それらに拠って、走行の安全が向上する。また、シリコン条２０は軟性体であり、サイドミラー本体１の造型に合わせて任意に折曲して必要な各種異なる形状に成形する。且つシリコン条２０内の通孔２０５設計は、シリコン条２０の折曲を異なる形状にする時、極めて良い変化空間を備え、簡単便利に折曲する。また本考案の導光条２を各種サイドミラー本体１上に固定する。即ち、サイドミラーは、後方車を見る作用の他に車両走行方向の警告効果を備える。且つ本考案は導光条２を任意の各種形状に折り、サイドミラー本体１に固定する。ＬＥＤライト２１０が発光すると、シリコン条２０では折曲した光の形状が現れ、サイドミラー本体１で夜間発光警告の効果を達成する。また本考案のサイドミラーに設置した導光構造は公知のサイドミラーに設置した導光構造と比較して極めて良好な光均一効果を備え、走行の安全性を向上させる。
【００２３】
上述に示すとおり、本考案は、予定の使用目的と効果を達成し、且つ公知と比較して理想的、実用的である。上述の実施例は本考案の良好な実施例で具体的に説明するためにすぎず、実施例は本考案の請求範囲を制限するものではない。例えば、サイドミラーと同様の作動であればバックミラーであってもよい。本考案が提示する技術手段の下に完成した変化と修飾は本考案の請求範囲に含むものとする。
【符号の説明】
【００２４】
１      サイドミラー本体
１０    凹槽
１１    嵌合槽
１２    穿孔
２      導光条
２０    シリコン条
２００  平面
２０１  円弧面
２０２  凹槽
２０３  納置槽
２０４  条槽
２０５  通孔
２０６  凸条
２１    ＬＥＤライト条
２１０  ＬＥＤライト
２１１  電源コード
３      透光カバー
３０    定位嵌合体
【図１】
0003189170.tif 000003
【図２】
0003189170.tif 000004
【図３】
0003189170.tif 000005